(57)【要約】【課題】電柱だけでなく、電柱と電柱の間に架設されている各種ケーブルに事故やトラブルが発生しそうな箇所に対し現場で即座に、全体像と細部にわたる詳細情報を写真や映像などを含めて公開することができる電柱及びケーブル等の管理方法を提供すること。【解決手段】カメラ付き携帯端末により任意の周辺写真・地図などの画像を取り込んで表示させ、画像の上に電柱及びケーブル等のポイントを設定し、全地球測位システムを利用して画像上における電柱及びケーブル等の位置情報を特定し、画像上における電柱及びケーブル等のポイントにカメラ付き携帯端末により撮影し文字情報を入力し、カメラ付き携帯端末の電子情報蓄積部に格納し、撮影物および文字情報をインターネットなどの各種通信網を介して電子情報蓄積機に格納し、コンピュータ端末のプログラムに取り込み表示させる。【選択図】      図１
2006178563.tif 000002
【特許請求の範囲】
【請求項１】
カメラ付き携帯端末により任意の周辺写真・地図などの画像を取り込んで表示させる過程と、
前記表示させた画像の上に電柱及びケーブル等のポイントを指定する過程と、
全地球測位システムを利用して画像上における電柱及びケーブル等のポイントの位置情報を特定する過程と、
画像上における電柱及びケーブル等のポイントにカメラ付き携帯端末により撮影し文字情報を入力する過程と、
前記撮影物および文字情報をカメラ付き携帯端末の電子情報蓄積部に格納する過程と、
前記撮影物および文字情報をインターネットなどの各種通信網を介して電子情報蓄積機に格納する過程と、
前記電子情報蓄積機に格納された撮影物および文字情報をコンピュータ端末のプログラムに取り込む過程及び表示させる過程とを含むことを特徴とする画像と位置情報を結合させた電柱及びケーブル等の管理方法。
【請求項２】
請求項１に記載の画像と位置情報を結合させたカメラ付き携帯端末の管理方法において、
各種埋設物、各種建造物、その他管理を必要とする固定物などを含むことを特徴とする画像と位置情報を結合させた電柱及びケーブル等の管理方法。
【発明の詳細な説明】
【技術分野】
【０００１】
本発明は、画像と位置情報を結合させた電柱及びケーブル等の管理方法に関する。
【背景技術】
【０００２】
従来、電線や電話回線などの各種ケーブルの架設等に関して、道路台帳を基にして電柱管理を行う方法や、インターネットを通じてパソコンの画面上において電柱に関する多種多様な情報を得られるようにした電柱情報提供装置があることは知られている。
【０００３】
しかしながら、固定的な地図に直接書き込んだりパソコンに表示させた地図上にポイントを置き情報を入力したり閲覧する方法がほとんどであった。
【０００４】
また、電柱の管理は、電柱と電柱の間に架設されている各種ケーブルに事故があった場合、各種ケーブルを結んでいる電柱を特定する役割を持つものであった。
【０００５】
このような地図画面上に電柱情報を入力し入力された電柱に関する情報を地図画面上に表示する電柱情報入力方法及び電柱入力装置は、例えば、特開２００４−３０２４７７公報で公開されている（特許文献１参照）。
【０００６】
【特許文献１】特開２００４−３０２４７７公報
【発明の開示】
【発明が解決しようとする課題】
【０００７】
電柱だけでなく、電柱や架設されている各種ケーブルに事故が発生しそうな箇所があった場合、電柱やケーブルを結ぶ電柱と電柱を特定する必要があるが、実際に調査を行う人間が行うことになる。そして、電柱やケーブルで事故が発生しそうな箇所については電柱情報以外の位置情報、写真、文字情報など様々な情報が必要になる。
【０００８】
本発明は上記従来技術の課題に鑑みて、カメラ付き携帯端末により任意の周辺写真・地図などの画像を取り込んで表示させ、画像の上に電柱及びケーブル等のポイントを設定し、全地球測位システムを利用して画像上における電柱及びケーブル等の位置情報を特定し、画像上における電柱及びケーブル等のポイントにカメラ付き携帯端末により撮影し文字情報を入力し、カメラ付き携帯端末の電子情報蓄積部に格納し、撮影物および文字情報をインターネットなどの各種通信網を介して電子情報蓄積機に格納し、コンピュータ端末のプログラムに取り込み表示させることが必要になる。
【課題を解決するための手段】
【０００９】
上記課題を解決するため、カメラ付き携帯端末により任意の周辺写真・地図などの画像を取り込んで表示させる過程と、前記表示させた画像の上に電柱及びケーブル等のポイントを指定する過程と、全地球測位システムを利用して画像上における電柱及びケーブル等のポイントの位置情報を特定する過程と、画像上における電柱及びケーブル等のポイントにカメラ付き携帯端末により撮影し文字情報を入力する過程と、前記撮影物および文字情報をカメラ付き携帯端末の電子情報蓄積部に格納する過程と、前記撮影物および文字情報をインターネットなどの各種通信網を介して電子情報蓄積機に格納する過程と、前記電子情報蓄積機に格納された撮影物および文字情報をコンピュータ端末のプログラムに取り込む過程及び表示させる過程とを含むことを特徴とする。
【００１０】
また、各種埋設物、各種建造物、その他管理を必要とする固定物などを含むことを特徴とする。
【００１１】
また、撮影ポイント情報は全地球測位システムによる緯度経度などの平面的位置情報だけでなく、高度、撮影日時、撮影場所間の距離、単発写真・連続写真・映像などの種別、撮影者、撮影時注記など様々な情報を付加した、または情報の付加の可否を選択することができる。
【００１２】
さらに、従来、カメラ付き携帯端末にて撮影物を含む各種情報をインターネットで公開して閲覧することしかできなかったが、業務処理を自動化するプログラムに取り込んで、事後処理を円滑に行うこともできる。
【発明の効果】
【００１３】
このように、地図や周辺写真の上に位置情報を持つ電柱及びケーブル等のポイントを設定し、そのポイントに対応した写真や文字情報を設定することができるため、電柱及びケー物等の管理が行いやすくなる。
また、電柱などは特定された場所であるが、従来はケーブル等の破損が発生しそうな箇所は電柱と電柱の間という曖昧な設定しかできないが、本発明によれば、地図または周辺写真を基礎画像として全地球測位システムなどを利用して場所を特定し、正確な位置情報、周辺状況、詳細な写真、文字情報などを含めて情報公開することができるようになり、迅速な保守業務が可能になる。
かつ、業務処理の手順を自動化するプログラム（特願２００４−２２７８４７参照）により、情報を送信した時点から事後処理の業務手順を開始することができる。
【発明を実施するための最良の形態】
【００１４】
次に、本発明の実施するための最良の形態を図面に基づき説明する。
【００１５】
図１において、１０１は周辺写真・地図など、１０２はカメラ付き携帯端末、１０３は周辺写真・地図などの画像、１０４は全地球測位衛星、１０５はカメラ付き携帯端末での電柱及びケーブル等のポイント表示画面、１０６ａ〜１０６ｃは電柱及びケーブル等の状況、１０７ａ〜１０７ｃは電柱及びケーブル等の写真及び文字情報、１０８は電子情報蓄積機、１０９はインターネットなどの各種通信網、１１０はコンピュータ端末である。
【００１６】
電柱やケーブル等のある周辺写真・地図など１０１をカメラ付き携帯端末１０２にて撮影または入力して、周辺写真・地図などの画像１０３として取り込む。
【００１７】
次に、周辺写真・地図などの画像１０３を基礎画像として、全地球測位衛星１０４から位置情報を取得して、電柱及びケーブル等のポイント表示画面１０５にポイントを設定する。
【００１８】
電柱及びケーブル等の状況１０６ａ〜１０６ｃを、カメラ付き携帯端末１０２から撮影・文字入力して、電柱及びケーブル等の写真・文字情報１０７ａ〜１０７ｃとして取り込み、カメラ付き携帯端末１０２の電子情報蓄積部分にそれら情報が格納される。
【００１９】
カメラ付き携帯端末１０２の電子情報蓄積部分に格納された各種情報は、インターネットなどの各種通信網１０９を介して、電子情報蓄積機１０８に格納されコンピュータ端末１１０で公開される。
【実施例】
【００２０】
図２は本発明における実施形態の説明図である。本発明の実施を行うには、業務処理の手順自動化プログラム２０３をインターネット上で利用できるようにしておく。
【００２１】
インターネットなどの各種通信網１０９を通じて電子情報蓄積機１０８に格納された、電柱及びケーブル等のポイント表示画面１０５、電柱及びケーブル等の写真及び文字情報１０７ａ〜１０７ｃは、業務処理の手順自動化プログラム２０５において、電柱及びケーブル等の状況を記載した電子報告書２０１に自動的に取り込まれる。
【００２２】
業務処理の手順自動化プログラム２０３では、電柱及びケーブル等の状況を記載した電子報告書２０１が出されると、電柱及びケーブル等の架設・保守業務を実施し、各電柱及びケーブル等の電子報告書２０２ａ〜２０２ｃを提出する手順の手続きを自動的に行う。
【産業上の利用可能性】
【００２３】
本発明の画像と位置情報を結合させた電柱及びケーブル等の管理方法によれば、電柱などの特定される場所だけでなく、ケーブルなどの破損が発生しそうな箇所のように特定化されない場所も全地球測位システムを利用して特定化し、周辺状況写真、地図情報、細部の詳細写真、文字情報などを公開することができるようになる。
特に断線等のトラブル予防管理、山間部などの送電線における動植物等の接触への対応・管理など大いに利用の可能性がある。さらに、過去の情報の履歴管理を行うことで、樹木などの成長によるケーブル等への接触の再発防止を管理することも可能になる。
【図面の簡単な説明】
【００２４】
【図１】本発明における実施形態の構成図。
【図２】本発明における実施形態の説明図。
【符号の説明】
【００２５】
１０１                周辺写真・地図など
１０２                カメラ付き携帯端末
１０３                周辺写真・地図などの画像
１０４                全地球測位衛星
１０５                電柱及びケーブル等のポイント表示画面
１０６ａ〜１０６ｃ    電柱及びケーブル等の状況
１０７ａ〜１０７ｃ    電柱及びケーブル等の写真及び文字情報
１０８                電子情報蓄積機
１０９                インターネットなどの各種通信網
１１０                コンピュータ端末
２０１                電柱及びケーブル等の状況を記載した電子報告書
２０２ａ〜２０２ｃ    各電柱及びケーブル等の電子報告書
２０３                業務の手順自動化プログラム
２０４                電柱及びケーブル等の架設・保守業務                
【図１】
2006178563.tif 000003
【図２】
2006178563.tif 000004